(57)【特許請求の範囲】
【請求項１】
アキュムレータを保持する支持体と、該支持体に前記アキュムレータの胴部を挟む様に配設された連結部材と、前記支持体に設けられ、前記アキュムレータの後面側に圧接される枕部材と、該アキュムレータを締付け前記枕部材に圧接させるバンドであって、その両端部が前記連結部材に固定されるバンドと、を備えたアキュムレータの固定装置において；
前記枕部材が、前記アキュムレータの前後面方向及び左右側面方向に摺動可能に設けられ、
前記連結部材が、前記アキュムレータの左右側面方向に回転可能に設けられていることを特徴とするアキュムレータの固定装置。
【請求項２】
前記支持体が、建物の壁面であることを特徴とする請求項１記載のアキュムレータの固定装置。
【請求項３】
前記支持体が、架台であり、該架台の柱体には、前記連結部材を支持するバンド固定アームが設けられていることを特徴とする請求項１記載のアキュムレータの固定装置。
【請求項４】
前記バンド固定アームは、L型鋼により形成され、該L型鋼には、前記連結部材が係合する一対の係止穴が設けられ、前記一対の係止穴の間には、前記枕部材が摺動可能に載置されていることを特徴とする請求項３記載のアキュムレータの固定装置。
【請求項５】
前記バンド固定アームは、Ｌ型鋼により形成され、該Ｌ型鋼には、前記連結部材が係合する複数対の係止穴が設けられていることを特徴とする請求項３記載のアキュムレータの固定装置。
【請求項６】
前記バンド固定アームは、板状鋼により形成され、該板状鋼には、前記連結部材を回動可能に保持する一対の回転支持部が設けられ、前記一対の回転支持部の間には、枕部材を摺動可能に載置するL型鋼が設けられていることを特徴とする請求項３記載のアキュムレータの固定装置。
【請求項７】
前記連結部材は、両端に鉤部を有する鉤部材であることを特徴とする請求項１、２、又は、３記載のアキュムレータの固定装置。
【請求項８】
前記連結部材は、その先端部にねじ部が形成され、該ねじ部には、バンド固定金具を押さえるナットが螺着されることを特徴とする請求項１，２、又は、３記載のアキュムレータの固定装置。
【請求項９】
前記枕部材は、アキュムレータの前後面方向の位置を調整する変位手段を備えていることを特徴とする請求項1、２、又は、３記載のアキュムレータの固定装置。
【請求項１０】
前記変位手段が、該枕部材の背面に設けられた、ボルト及びナットから構成されていることを特徴とする請求項１，２、又は、３記載のアキュムレータの固定装置。
【請求項１１】
前記バンドの両端部には、連結部材である鉤部材を係止するための鉤穴が複数個形成されていることを特徴とする請求項１、２、又は、３記載のアキュムレータの固定装置。
【発明の詳細な説明】
【技術分野】
【０００１】
この発明は、圧力保持回路、衝撃緩衝、脈動吸収等に用いられるアキュムレータに関するものであり、更に述べると、アキュムレータの固定装置に関するものである。
【背景技術】
【０００２】
圧力保持回路の配管には、アキュムレータが連結されているが、このアキュムレータは、架台により保持されている。
従来、アキュムレータを固定する場合には、最初に、架台の柱体に枕部材を設け、該枕部材にアキュムレータの後面（背面）側を接触させた後、該アキュムレータの前面（正面）側にバンドをかけて締付け、該バンドの両端部を連結部材を介してバンド固定アームに固定している。この様にしてアキュムレータを固定した後、該アキュムレータの取付口に合わせて配管を行っている。そのため、該配管の位置を調節することによりアキュムレータと該配管の中心軸を合わせることができるので、設計通りの施工ができる。
【０００３】
しかし、前記施工方法は、面倒であり、作業時間も多くかかる。
そこで、積み木を組み立てる方法、即ち、現合組立てではなく、各部品をユニット化して組み立てる方法が採用されている。この方法は、架台自体は予め溶接構造で造っておき、配管は、現合で溶接するのではなく、機械加工により鋼材に穴を開けて形成された、配管代用のマニホールドブロックが用いられる。
そして、前記組み立てをする場合には、前記架台にマニホールドブロックを組み付けた後、該架台にアキュムレータを乗せれば作業完了となるので、作業能率の向上を図ることができると共に、配管の溶接場所が減るので、安全性も増す。
【発明の開示】
【発明が解決しようとする課題】
【０００４】
従来の積み木を組み立てる方法は、
（１）アキュムレータの接続口とマニホールドブロック（配管）を設計通りに精確に製造することが困難であり、製造誤差が発生すること、
（２）アキュムレータと架台との間に介在する枕部材、及びバンドをバンド固定アームに連結する連結部材の位置が固定されており、位置調節が不可能であること、
から前記アキュムレータの中心軸と配管の接続口中心が合致しなくなってしまう。そのため、この積み木を組み立てる方法は、あまり利用されない。
【０００５】
この発明は、上記事情に鑑み、アキュムレータの中心軸と配管の接続口中心が合致するようにすることを目的とする。
【課題を解決するための手段】
【０００６】
この発明は、アキュムレータを保持する支持体と、該支持体に前記アキュムレータの胴部を挟む様に配設された連結部材と、前記支持体に設けられ、前記アキュムレータの後面側に圧接される枕部材と、該アキュムレータを締付け前記枕部材に圧接させるバンドであって、その両端部が前記連結部材に固定されるバンドと、を備えたアキュムレータの固定装置において；前記枕部材が、前記アキュムレータの前後面方向及び左右側面方向に摺動可能に設けられ、前記連結部材が、前記アキュムレータの左右側面方向に回転可能に設けられていることを特徴とする。
【０００７】
この発明の前記支持体が、建物の壁面であることを特徴とする。この発明の前記支持体が、架台であり、該架台の柱体には、前記連結部材を支持するバンド固定アームが設けられていることを特徴とする。この発明の前記バンド固定アームは、L型鋼により形成され、該L型鋼には、前記連結部材が係合する一対の係止穴が設けられ、前記一対の係止穴の間には、前記枕部材が摺動可能に載置されていることを特徴とする。この発明の前記バンド固定アームは、Ｌ型鋼により形成され、該Ｌ型鋼には、前記連結部材が係合する複数対の係止穴が設けられていることを特徴とする。この発明の前記バンド固定アームは、板状鋼により形成され、該板状鋼には、前記連結部材を回動可能に保持する一対の回転支持部が設けられ、前記一対の回転支持部の間には、枕部材を摺動可能に載置するL型鋼が設けられていることを特徴とする。
【０００８】
前記連結部材は、両端に鉤部を有する鉤部材であることを特徴とする。この発明の前記連結部材は、その先端部にねじ部が形成され、該ねじ部には、バンド固定金具を押さえるナットが螺着されることを特徴とする。この発明の前記枕部材は、アキュムレータの前後面方向の位置を調整する変位手段を備えていることを特徴とする。この発明の前記変位手段が、該枕部材の背面に設けられた、ボルト及びナットから構成されていることを特徴とする。この発明の前記バンドの両端部には、連結部材である鉤部材を係止するための鉤穴が長手方向に沿って複数個形成されていることを特徴とする。
【発明の効果】
【０００９】
この発明は、前記枕部材が、前記アキュムレータの前後面方向及び左右側面方向に摺動可能に設けられ、前記連結部材が、前記アキュムレータの左右側面方向に回転可能に設けられているので、アキュムレータの位置を容易に調整することができる。そのため、簡単に、アキュムレータの中心軸と配管の接続口中心を合致させることができる。
【発明を実施するための最良の形態】
【００１０】
この発明の第１実施形態を図１〜図５に基いて説明する。
架台１は、柱体３と、該柱体３を支持するＴ字状の脚体５と、該柱体３に直交して設けられたバンド固定アーム７と、を備えている。
【００１１】
前記柱体３及脚体５は、Ｃ型鋼により形成され、又、バンド固定アーム７は、Ｌ型鋼により形成されている。このアーム７は、柱体３の長さ方向に所定間隔をあけて、上下一対、平行に設けられ、又、各アーム７，７には、前記柱体３の中心線を軸として、軸対称に配設された、左右一対の係止穴９、９が設けられている。
【００１２】
前記アーム７の一対の係止穴９，９間には、枕部材１０が、摺動可能に配設されている。該枕部材１０の後面１０ｂ側、即ち、柱体３側、には、アキュムレータ１２の前後面方向の位置を調整するための変位手段が設けられ、又、その前面側には、アキュムレータ１２の後面１２ａ側、即ち、柱体３側、が圧接される受部10aが設けられている。前記受部１０ａは、前記アキュムレータ１２の後面１２ａが2点で接触保持できるように、円弧状の凹部に形成されている。前記変位手段の一例として、枕部材１０の中心線を軸として、軸対称に配設された左右一対のボルト１４及びナット１６が用いられている。
【００１３】
前記係止穴９，９には、連結部材である鉤部材１５の一方のフックボルト１５ａが係止される。この鉤部材１５は、一対のフックボルト１５ａ、１５ａを備えており、該一対のフックボルト１５ａ、１５ａはターンバックル１５ｂを介して連結されている。前記他方のフックボルト１５ａは、バンド１７の端部に設けた係合穴１７ａに係止されるが、このバンド１７は、アキュムレータ１２の前面１２ｂ側、即ち、柱体３と反対側、に当接して該アキュムレータ１２を締め付けている。前記バンド１７は、例えば、幅30mm〜40mm、厚さ2mm〜3mm、の鉄板により形成されているが、剛性があり、曲げにくいので、予め、アキュムレータの外形に沿って円弧状に曲げられている。
【００１４】
アキュムレータ１２の下端部は、柱体３に固定されたベースプレート１８により支持されており、その接続口はマニホールドブロック２０を介して液圧装置などの配管２２に連結されている。
【００１５】
次に、この実施形態の作動について説明する。
枕部材１０の位置調整：
前記変位手段であるナット１６，１６を回し、枕部材１０をアキュムレータ１２の前後面方向、即ち、矢印Ａ１２方向に摺動させて、前記前後面方向を設計位置にする。  
又、枕部材１０を、アキュムレータ１２の左右側面１２ｃ、１２ｄ方向、即ち、矢印Ａ１０方向（矢印Ａ１２と直交方向）、に摺動させて、前記左右側面方向を設計位置にする。
【００１６】
次に、マニホールドブロック２０が固定されている架台３に、アキュムレータ１２を載せ、該アキュムレータ１２の背面１２ａ側を枕部材１０の受部１０ａに当接させる。この時、前記受部１０ａは、アキュムレータ１２の後面１２ａと２点接触できるような凹状部となっているので、前記アキュムレータ１２の中心軸を所定位置にすることが容易である。
【００１７】
バンド：
前記架台３上のアキュムレータ１２の前面１２ｂ側にバンド１７をかけ、該バンド１７の両端部を鉤部材１５を介してバンド固定アーム７に連結する。この時、該バンド１７の係合穴１７ａ、１７ａには、鉤部材１５の一方のフックボルト１５ａが係止され、又、他方のフックボルト１５ａは、バンド固定アーム７の係止穴９に回動自在に係合されており、ターンバックル１５ｂを所定方向に回すことにより、前記バンド17はアキュムレータ１２を締付け枕部材１０に圧接させる。そのため、前記バンド１７は、アキュムレータ１２の変位に伴って回動し、該アキュムレータ１２の締付け状態を維持しながら変位するので、アキュムレータの位置合わせ（芯合わせ）が容易となる。
【００１８】
以上に様に、枕部材１０及びバンド１７の鉤部材１５を備えているので、アキュムレータ１２の位置を容易に調整することができる。そのため、簡単に、アキュムレータの中心軸と配管の接続口中心が合致するようにすることができる。
【００１９】
この発明の第２実施の形態を図６〜図９により説明するが、図１〜図５と同一図面符号は、その名称も機能も同一である。
この実施形態と第１実施の形態との相違点は、次の通りである。
（１）バンド固定アーム７に連結ボルト２１の基端部２１ａを保持する回転支持部23が設けられ、該連結ボルト２１の自由端部のねじ部２１ｂに止めナット２２が螺着され、該止めナット２２により取付金具２５が固定されていること。この取付金具２５は、バンド１７の端部に設けられ、前記ボルト２１に嵌着されている。この連結ボルト２１は、アキュムレータ１２の左右側面１２ｃ、１２ｄ方向に回転することができる。
【００２０】
バンド固定アーム７は、平板鋼により形成され、該平板鋼に枕部材１０の支持板２９が設けられていること。この支持板２９はＬ型鋼により形成され、変位手段であるボルト１４及びナット１６を受け止める凹部３０が設けられている。なお、ボルト１４の先端部は、枕部材１０を貫通している。
【００２１】
（３）ナット１６を回転させることにより、図６に示すように、枕部材１０の後面１０ｂから露出する左右のボルト１４，１４の長さを同一にして枕部材１０をバンド固定アーム７と平行にしたり、又、図９に示すように、枕部材１０の後面１０ｂから露出する一方のボルト１４の長さを他方のボルト１４の長さより長くして枕部材１０を傾かせ、アキュムレータ１２の中心軸を変位させることもできる。
【００２２】
この発明の第３実施の形態を図１０、図１１により説明するが、図６〜図９と同一図面符号は、その名称も機能も同一である。
この実施形態と第１実施の形態との相違点は、次の通りである。
（１）枕部材３２が、断面Ｕ字状に形成され、その両側の先端３２ａ、３２ａが、受部となってアキュムレータ１２の背面１２ａに当接していること（二点接触支持）。
（２）変位手段が、枕部材３２の中央部を貫通する一本のボルト３４と、該ボルト３４に羅着されているナット３６，３６と、から構成されていること。
（３）支持板２９には、ボルト３４、ナット３６を受けるための凹部が無く、該ボルト３４ナット３６は、摺動自在であること。
【００２３】
この発明の第４実施の形態を図１２、図１３により説明するが、図１〜図５と同一図面符号は、その名称も機能も同一である。
この実施形態と第１実施の形態との相違点は、次の通りである。
（１）バンド固定アーム７の両端部に係合止穴９を１個形成して一対の係止穴９を形成する代わりに、前記両端部に複数の係止穴９，９ａを設け、複数対の係止穴９，９ａを形成したこと。この様にすると、バンドの長さによって使用する係止穴を変えることができる。例えば、直径１２０mmのアキュムレータ用バンドを、直径１１４mmのアキュムレータ用バンドにして使用すると、長さが余ってしまうが、この場合には、係止穴９，９を使用する代わりに、係止穴９ａ，９ａを使用する。
（２）バンド１７の両端部に係合穴１７ａを１個形成する代わりに、前記両端部に長手方向に間隔をおいて複数の係合穴１７ａ、１７ｂを形成すること。
この様にすると、連結部材である鉤部材が引っ掛けられる係合穴１７ａ，１７ｂの位置により、バンドの張り具合を調整することができる。
【００２４】
この発明の実施形態は、上記に限定されるものではない。
例えば、上記実施の形態では、アキュムレータを保持する支持体の一例として、架台を挙げたが、該アキュムレータは建物の壁面等にも固定されることもあるので、この支持体には、前記壁面等も含まれる。
又、前記バンドとして、通常の厚さ（前記実施の形態に示したバンド）よりも薄く、例えば、1.2mm〜1.6mmにすると、変形し易くなる。そのため、該バンドを使用する際、アキュムレータの外形に沿って容易に曲げることができると共に、調整ねじや枕部材の調節が容易となるので、作業能率が向上する。
更に、上記実施の形態では、アキュムレータを縦置する場合（縦置型アキュムレータ）について述べたが、これを横置する場合（横置型アキュムレータ）についても本発明を適用することができることは勿論である。
【図面の簡単な説明】
【００２５】
【図１】本発明の第１実施の形態を示す拡大平面図である。
【図２】図１の要部拡大図である。
【図３】架台にアキュムレータを固定した状態を示す側面図である。
【図４】架台にアキュムレータを固定した状態を示す正面図である。
【図５】架台を示す拡大斜視図である。
【図６】本発明の第２実施の形態を示す拡大平面図である。
【図７】図６の回転支持部の拡大図である。
【図８】位置調整手段を示す拡大側面図である。
【図９】図６と異なる実施態様を示す拡大平面図である。
【図１０】本発明の第３実施の形態を示す拡大平面図である。
【図１１】位置調整手段を示す拡大側面図である。
【図１２】本発明の第４実施の形態を示す拡大平面図である。
【図１３】側面図の一部を示す図である。
【符号の説明】
【００２６】
１      架台
３      柱体
７      バンド固定アーム
１０    枕部材
１２    アキュムレータ
１２ａ  後面
１２ｂ  前面
１４    ボルト
１５    鉤部材
１６    ナット
１７    バンド
２０    マニホールドブロック
Ｓ      変位手段
【図１】
0004950855.tif 000002
【図２】
0004950855.tif 000003
【図３】
0004950855.tif 000004
【図４】
0004950855.tif 000005
【図５】
0004950855.tif 000006
【図６】
0004950855.tif 000007
【図７】
0004950855.tif 000008
【図８】
0004950855.tif 000009
【図９】
0004950855.tif 000010
【図１０】
0004950855.tif 000011
【図１１】
0004950855.tif 000012
【図１２】
0004950855.tif 000013
【図１３】
0004950855.tif 000014